(57)【要約】【課題】カメラの小型化を維持したまま良好な音質を得ることができるようにする。【解決手段】外周に固定筒（２５）を有するレンズ鏡筒（２０）であって、固定筒（２５）側面に収納された状態から固定筒（２５）の表面に可動する可動部材（３０，３５）と、可動部材（３０，３５）に設けられ、音を記録する音記録手段（４０，４５）とを備えている。【選択図】図２
2010185897.tif 000002
【特許請求の範囲】
【請求項１】
外周に固定筒を有するレンズ鏡筒であって、
前記固定筒側面に収納された状態から前記固定筒の表面に可動する可動部材と、
前記可動部材に設けられ、音を記録する音記録手段と
を備えていることを特徴とするレンズ鏡筒。
【請求項２】
前記可動部材は、前記固定筒の外周の先端部に配置されていることを特徴とする請求項１記載のレンズ鏡筒。
【請求項３】
前記音記録手段が設けられた前記可動部材は２つあり、前記固定筒から引き出された状態で、前記音記録手段が前記レンズ鏡筒の光軸を通る垂直軸に対してほぼ線対称な位置に配置されることを特徴とする請求項１又は２記載のレンズ鏡筒。
【請求項４】
前記可動部材が前記固定筒から引き出された状態をカメラ本体の正面から見たとき、前記可動部材は前記カメラ本体の外形内に収まることを特徴とする請求項１〜３のいずれか１項記載のレンズ鏡筒。
【請求項５】
請求項１〜４のいずれか１項記載のレンズ鏡筒を備えていることを特徴とするカメラ。
【発明の詳細な説明】
【技術分野】
【０００１】
この発明はレンズ鏡筒及びカメラに関する。
【背景技術】
【０００２】
従来、マイクロフォンとビデオカメラ本体とが一体化した構造のビデオカメラがある。例えば特開平４−２６０２８０号公報には、ビデオ再生時にはマイクロフォンをレンズ前面部に収容し、録画時にはビデオカメラ本体から遠ざけてビデオカメラ本体で発生する雑音を拾わないようにするとともに、ステレオ録音性を高めるようにしたビデオカメラが開示されている。
【先行技術文献】
【特許文献】
【０００３】
【特許文献１】特開平４−２６０２８０号公報
【発明の概要】
【発明が解決しようとする課題】
【０００４】
しかし、ビデオカメラの小型化を図るという要求に応えようとすると、大きなマイクロフォンを搭載することができず、高音質を得ることが困難だった。
【０００５】
この発明はこのような事情に鑑みてなされたもので、その課題はカメラの小型化を維持したまま良好な音質を得ることができるようにすることである。
【課題を解決するための手段】
【０００６】
上記課題を解決するため請求項１記載の発明は、外周に固定筒を有するレンズ鏡筒であって、前記固定筒側面に収納された状態から前記固定筒の表面に可動する可動部材と、前記可動部材に設けられ、音を記録する音記録手段とを備えていることを特徴とする。
【０００７】
請求項２記載の発明は、請求項１記載のレンズ鏡筒において、前記可動部材は、前記固定筒の外周の先端部に配置されていることを特徴とする。
【０００８】
請求項３記載の発明は、請求項１又は２記載のレンズ鏡筒において、前記音記録手段が設けられた前記可動部材は２つあり、前記固定筒から引き出された状態で、前記音記録手段が前記レンズ鏡筒の光軸を通る垂直軸に対してほぼ線対称な位置に配置されることを特徴とする。
【０００９】
請求項４記載の発明は、請求項１〜３のいずれか１項記載のレンズ鏡筒において、前記可動部材が前記固定筒から引き出された状態をカメラ本体の正面から見たとき、前記可動部材は前記カメラ本体の外形内に収まることを特徴とする。
【００１０】
請求項５記載の発明は、請求項１〜４のいずれか１項記載のレンズ鏡筒を備えていることを特徴とするカメラである。
【発明の効果】
【００１１】
この発明によればカメラの小型化を維持したまま良好な音質を得ることができる。
【図面の簡単な説明】
【００１２】
【図１】図１はこの発明の一実施形態に係るカメラの正面図であり、マイクロフォン収納部材を交換レンズ鏡筒の側面に収納した状態を示す図である。
【図２】図２はこの発明の一実施形態に係るカメラの正面図であり、マイクロフォン収納部材を交換レンズ鏡筒の側面から引き出した状態を示す図である。
【図３】図３は図１に示すカメラの側面図である。
【図４】図４は図２に示すカメラの側面図である。
【発明を実施するための形態】
【００１３】
以下、この発明の実施の形態を図面に基づいて説明する。
【００１４】
図１、２はこの発明の一実施形態に係るカメラの正面図、図３、４はその側面図である。
【００１５】
図１、３はマイクロフォン収納部材（可動部材）３０,３５を交換レンズ鏡筒２０の固定筒２５の側面に収納した状態を示し、図２、４はマイクロフォン収納部材３０,３５を交換レンズ鏡筒２０の固定筒２５の側面から引き出した状態を示す。
【００１６】
カメラ１は静止画だけでなく動画も取得することができる。
【００１７】
カメラ１は、カメラ本体１０と、カメラ本体１０に装着可能な交換レンズ鏡筒（レンズ鏡筒）２０と、交換レンズ鏡筒２０の固定筒２５の側面に設けられた２つのマイクロフォン収納部１１にそれぞれ収納されるマイクロフォン収納部材３０,３５と、マイクロフォン収納部材３０,３５に設けられ、外部の音を記録するマイクロフォン（音記録手段）４０,４５とを備えている。
【００１８】
交換レンズ鏡筒２０には固定筒２５に対して回転するフォーカス操作環２１が設けられている。また、フォーカス操作環２１には、手動操作の際の滑り止めのためのローレットを有するフォーカス環滑り止め部材２２が設けられている。
【００１９】
交換レンズ鏡筒２０は撮影光学系であるレンズ５０を有する。
【００２０】
マイクロフォン収納部材３０,３５は固定筒２５の外周の先端部（フォーカス環滑り止め部材２２より被写体側（左側））に配置されている（図３、４参照）。
【００２１】
また、マイクロフォン収納部材３０,３５を固定筒２５の側面から引き出された状態をカメラ本体１０の正面から見たとき、マイクロフォン収納部材３０,３５はカメラ本体１０の外形内に収まる大きさである。
【００２２】
マイクロフォン収納部材３０,３５はモータ６０,６５の軸６１,６６に支持されている。モータ６０,６５へは、固定筒２５の後端部に設けられたコネクタ（図示せず）を介してカメラ本体１０内のバッテリ（図示せず）からの電力が供給される。マイクロフォン収納部材３０,３５は軸６１,６６を中心として回転可能であり、マイクロフォン４０,４５はマイクロフォン収納部材３０,３５とともにマイクロフォン収納部１１から引き出される（図２参照）。
【００２３】
なお、マイクロフォン収納部材３０，３５を配置する位置は固定筒２５の中間部でもよいが、固定筒２５の後端部（フォーカス環滑り止め部材２２よりカメラ本体１０側）に近づけ過ぎると、カメラ本体１０内に配置されたモータ（図示せず）等の雑音をマイクロフォン４０,４５が拾うおそれがある。
【００２４】
次に、動画撮影時のマイクロフォン収納部材３０,３５の動作を説明する。
【００２５】
図１に示す状態から動画撮影モードにすると、モータ６０,６５に電力が供給され、マイクロフォン収納部材３０,３５が固定筒２５のマイクロフォン収納部１１から引き出される。このとき、図２に示すように、マイクロフォン収納部材３０,３５は交換レンズ鏡筒２０の光軸Ｌを通る垂直軸に対してほぼ線対称な位置に配置される。なお、この状態からモータ６０,６５に電力を供給してモータ６０,６５を逆回転させれば、マイクロフォン収納部材３０,３５がマイクロフォン収納部１１に収納される。なお、マイクロフォン収納部材３０,３５をモータ６０,６５を用いずに手動でマイクロフォン収納部１１に収納したり、マイクロフォン収納部１１から引き出したりするようにしてもよい。
【００２６】
この実施形態によれば、マイクロフォン収納部材３０,３５を固定筒２５のマイクロフォン収納部１１に収納するようにしたので、カメラ１の小型化を維持したまま良好な音質を得ることができる。また、マイクロフォン収納部材３０,３５を固定筒２５の先端部に配置したので、カメラ本体１０内に配置されたモータ（図示せず）等の雑音をマイクロフォン４０,４５が拾いにくくなり、より良好な音質を得ることができる。更に、マイクロフォン収納部材３０,３５を固定筒２５のマイクロフォン収納部１１から引き出した状態をカメラ本体１０の正面から見たとき、マイクロフォン収納部材３０,３５はカメラ本体１０の外形内に収まるようにしたので、カメラ１の携帯時等にマイクロフォン収納部材３０,３５（マイクロフォン４０,４５）を誤って周囲のものにぶつけて破損させる等の事態を避けることができる。
【００２７】
なお、図示しないが、交換レンズ鏡筒２０をカメラ本体１０から外したとき、マイクロフォン収納部材３０,３５を固定筒２５の側面のマイクロフォン収納部１１にバネ力によって収納し、交換レンズ鏡筒２０をカメラ本体１０に装着したとき、バネ力を解除してマイクロフォン収納部材３０,３５を固定筒２５の側面のマイクロフォン収納部１１から引き出すようにしてもよい。
【符号の説明】
【００２８】
１：カメラ：１０：カメラ本体、２０：交換レンズ鏡筒（レンズ鏡筒）、２５：固定筒、３０，３５：マイクロフォン収納部材（可動部材）、４０，４５：マイクロフォン（音記録手段）。
【図１】
2010185897.tif 000003
【図２】
2010185897.tif 000004
【図３】
2010185897.tif 000005
【図４】
2010185897.tif 000006